(57)【特許請求の範囲】
【請求項１】
貯水槽(10)の天井面(11)に上下方向に伸縮可能な第１スライド管(12)を取り付け、
前記第１スライド管の下部側に給気口(13)と第１フロート部材(14)を取り付け、
前記第１フロート部材を前記貯水槽内の貯水面(21)に浮かべることにより給気を行うと同時に、
前記貯水槽の天井面に上下方向に伸縮可能な第２スライド管(16)を取り付け、
前記第２スライド管の下部側に排気口(17)と第２フロート部材(18)を取り付け、
前記第２フロート部材を前記貯水面に浮かべることにより排気を行うことによって、前記貯水槽の気相部に滞留している腐食性ガスを外部に排出し、前記気相部で発生する前記腐食性ガスによる前記貯水槽の腐食を防止することを特徴とする貯水槽気相部換気システム(1)。
【発明の詳細な説明】
【０００１】
【発明の属する技術分野】
本発明は、貯水槽気相部換気システムに関し、特に、ステンレス製の貯水槽からなる貯水槽気相部換気システムに関する。
【０００２】
【従来の技術】
従来から、建設設備において貯水槽は欠かすことのできない設備である。この貯水槽にあっては、ステンレス鋼は鉄などと比較して腐食しにくい材料であり、受水槽などの貯水槽によく用いられている。しかし、上水の殺菌を目的として投入される塩素系薬品などがガス化し、貯水面付近の気相部に滞留することで気相部のステンレス鋼が腐食する場合がある。
【０００３】
一般に、貯水槽には天井面に通気部が設けられている。しかしながら、塩素ガスは、空気より比重が大きいので貯水槽の天井面に設けられた通気部からは、なかなか外部へ排出されにくく、貯水面付近に滞留しやすい。
このため、従来においては、貯水槽の気相部における材質を、塩素に対する耐腐食性の優れた二相系ステンレス鋼などの材質にするなどの対策が施されていた。
【０００４】
【発明が解決しようとする課題】
しかしながら、二相系ステンレス鋼などの耐腐食性に優れた材質を使用した場合は、一般的なステンレス鋼、例えばSUS316やSUS444などを使用した場合に比較してコストが高くなるという問題があった。
【０００５】
また、貯水槽内の気相部と液相部で異なる材質を使った場合、この接触部が常に下端水位以下にあるような場合には、液相中に２種類のステンレス鋼が存在することにより、電気的な回路が形成され、二相系ステンレス鋼でも腐食するおそれがある。
【０００６】
本発明は、前述した問題点に鑑みてなされたものであり、その目的は、ステンレス製貯水槽内に腐食性ガスを発生する薬品を投入した場合でも腐食することがなく、しかもコストダウンが可能な貯水槽気相部換気システムを提供することにある。
【０００７】
【課題を解決するための手段】
前述した目的を達成するために、本発明の請求項１の貯水槽気相部換気システムは、貯水槽の天井面に上下方向に伸縮可能な第１スライド管を取り付け、前記第１スライド管の下部側に給気口と第１フロート部材を取り付け、前記第１フロート部材を前記貯水槽内の貯水面に浮かべることにより給気を行うと同時に、前記ステンレス製貯水槽の天井面に上下方向に伸縮可能な第２スライド管を取り付け、前記第２スライド管の下部側に排気口と第２フロート部材を取り付け、前記第２フロート部材を前記貯水面に浮かべることにより排気を行うことによって、前記貯水槽の気相部に滞留している腐食性ガスを外部に排出し、前記気相部で発生する前記腐食性ガスによる前記貯水槽の腐食を防止することを特徴とする。
【００１１】
この貯水槽気相部換気システムによれば、貯水面に浮かぶフロート部材上の排気口が水位変化に追随して上下移動するので、貯水面に滞留しやすい腐食性の塩素系ガスが常に外部に排出され、気相部における例えばステンレス鋼の腐食を防止することができる。
【００１２】
【発明の実施の形態】
以下、本発明に係る貯水槽気相部換気システムの実施の形態について、図面に基づいて詳細に説明する。
【００１３】
図１は本発明の貯水槽気相部換気システムを示す断面図であり、貯水面が上下動する状態を示すものである。また、図２は図１のＡ矢視図であって、給気口と排気口との位置を示す概略平面図である。
【００１４】
図１に示すように、本実施形態の貯水槽気相部換気システム１においては、貯水槽10はステンレス製であって、ほぼ密封されておりその天井面11の片側に、軽量な塩化ビニル製パイプなどで形成された第１スライド管12が上下方向（Ｄ方向）に伸縮自在な構成を有して取り付けられている。
【００１５】
この第１スライド管12の下端には、給気口13が設けられている。また、給気口13の下部側には、第１フロート部材14が設けられている。更に、第１スライド管12の上部側には、外気取入口15が設けられている。
【００１６】
また、天井面11の給気口13と反対側には、上述の第１スライド管12と同様な第２スライド管16が上下方向に伸縮自在な構成を備えて取り付けられ、その下端には排気口17が設けられている。この排気口17の下部側には、第２フロート部材18が設けられている。
更に、第２スライド管16の上部側には排出口19が設けられている。この排出口19内には、排気ファン20が取り付けられている。
なお、上述の給気口１３及び排気口１７は、図２に示すように、それぞれ２個ずつ設けられている。
【００１７】
上述の各フロート部材14，18は、ステンレス製貯水槽10内の貯水面21上に浮いており、貯水面21が高水位（HWL）から低水位（LWL）の間で変化したとき、各スライド管12，16が伸縮して各フロート部材14，18が貯水面21に追随して上下移動する。
これによって、各フロート部材14，18上の給気口13及び排気口17が、貯水面21の変化に追随して上下移動するようになっている。
【００１８】
このように、本発明のステンレス製貯水槽気相部換気システム１は、第２フロート部材18上の排気口17が貯水面21の変化に追随して上下移動するので、貯水面21上に滞留しやすい腐食性ガスが、排気口17、第２スライド管16及び排出口19を介して外部に効果的に排出される。
【００１９】
従って、ステンレス製貯水槽10内に、上水の殺菌を目的として塩素系薬品などを投入した場合でも、その塩素ガスが常時外部に排出されるので、ステンレス製貯水槽10が腐食するのを防止できる。
【００２０】
また、給気口13も貯水面21の変化に応じて上下移動するので、貯水面２１付近に外部の空気が取り込まれるため、腐食性ガスの排気効果が向上する。
更に、給排気手段を構成している各スライド管12，16、各フロート部材14，18及び排気ファン20などは、通常市販されている安価な部材を使用できるので、コストダウンが可能になる。
【００２１】
なお、本発明のステンレス製貯水槽気相部換気システム１は、ステンレス製貯水槽10の大きさなどに応じて、給気口13及び排気口17の大きさや個数、及びその位置を貯水面21付近に滞留している腐食性ガスを効果的に且つ均一に排出できるように適宜設定することができる。
【００２２】
また、例えば建物内にステンレス製貯水槽10が設置される場合などは、排出口１９を配管などで建物の外部まで延長して、腐食性ガスを常に外部に排出することができる。更に、このステンレス製貯水槽気相部換気システムは、塩素ガス以外にも、空気より比重が重い各種のガスなどに対しても適用でき、化学薬品や排水などの貯水槽にも適用できる。
【００２３】
【発明の効果】
以上説明したように、本発明の請求項１の貯水槽気相部換気システムは、貯水槽の天井面に上下方向に伸縮可能な第１スライド管を取り付け、前記第１スライド管の下部側に給気口と第１フロート部材を取り付け、前記第１フロート部材を前記貯水槽内の貯水面に浮かべることにより給気を行うと同時に、前記ステンレス製貯水槽の天井面に上下方向に伸縮可能な第２スライド管を取り付け、前記第２スライド管の下部側に排気口と第２フロート部材を取り付け、前記第２フロート部材を前記貯水面に浮かべることにより排気を行うことによって、前記貯水槽の気相部に滞留している腐食性ガスを外部に排出し、前記気相部で発生する前記腐食性ガスによる前記貯水槽の腐食を防止する。
【００２７】
すなわち、本発明の請求項１の貯水槽気相部換気システムによれば、貯水面に浮かぶフロート部材上の排気口が水位変化に追随して上下移動するので、貯水面に滞留しやすい腐食性の塩素系ガスが常に外部に排出され、気相部におけるステンレス鋼の腐食を防止することができる。
【図面の簡単な説明】
【図１】本発明に係る貯水槽気相部換気システムによける貯水槽の要部断面図である。
【図２】図１におけるＡ方向からみた概略平面図である。
【符号の説明】
１  貯水槽気相部換気システム
10  ステンレス製貯水槽
11  天井面
12  第１スライド管
13  給気口
14  第１フロート部材
16  第２スライド管
17  排気口
18  第２フロート部材
【図１】
0004598997.tif 000002
【図２】
0004598997.tif 000003